(57)【要約】【課題】視覚的な面白味が増すと共に入賞する期待感も増大して遊技の興趣を高めることができるようにした弾球遊技機における役物を提供する。【解決手段】パチンコ球Ｂ１〜Ｂ４が転動して遊動する上部ステージ３４と下部ステージ２１をそれぞれ上部と下部に設け、前記上部ステージ３４と下部ステージ２１との間に上部ステージ３４に載るパチンコ球Ｂ１〜Ｂ４を下部ステージ２１に誘導し得る誘導通路３７を設けた構成からなる。【選択図】  図２
2005000439.tif 000002
【特許請求の範囲】
【請求項１】
パチンコ球が転動して遊動する上部ステージと下部ステージをそれぞれ上部と下部に設け、前記上部ステージと下部ステージとの間に該上部ステージに載るパチンコ球を該下部ステージに誘導し得る誘導通路を設けたことを特徴とする弾球遊技機における役物。
【発明の詳細な説明】
【０００１】
【発明の属する技術分野】
本発明は、弾球遊技機の遊技盤面に装着される可変表示装置等の役物に関するものである。
【０００２】
【従来の技術】
従来、例えば弾球遊技機であるフィーバータイプのパチンコ遊技機は、遊技盤の中央に表示部を備えた可変表示装置が装着され、その下方にパチンコ球の入賞により前記表示部の表示を変動表示させる始動入賞口が装着されている。そして、その下方に前記変動した表示が一定の時間経過後に停止して特定の表示（例えば「７７７」）を示し、遊技者にとって有利な特別遊技状態になったとき、一定の条件の下で入賞装置を開成させ一度に多くの入賞球が得られるようにしている。前記可変表示装置には、表示部の下縁に沿ってパチンコ球を転動させ下方の始動入賞口に入賞する機会が多くなるように誘導するステージが設けられている（例えば、特許文献１参照。）。
【０００３】
【特許文献１】
特開２００１−３７９９１号公報（第２−３頁、図２）
【０００４】
【発明が解決しようとする課題】
しかしながら、前記特許文献１に示される役物のように、その下部のみにステージが設けられている構成は従来から一般的に長く使用されてきてマンネリ化しており、視覚的な面白味が減少しているばかりか、入賞する期待感も十分に得られず遊技の面白味が充分に出せてない。このため、遊技の興趣を高めるべく打開策を摸索しているのが現状である。
【０００５】
そこで、本発明は上記課題に鑑みてなされたもので、視覚的な面白味を増すと共に入賞する期待感が十分得られるようにして遊技の興趣を高めることができるようにした弾球遊技機における役物を提供することを目的とするものである。
【０００６】
【課題を解決するための手段】
かかる目的を達成するため、本発明の弾球遊技機の役物は、パチンコ球が転動して遊動する上部ステージと下部ステージをそれぞれ上部と下部に設け、前記上部ステージと下部ステージとの間に上部ステージに載るパチンコ球を下部ステージに誘導し得る誘導通路を設けた構成からなる。
【０００７】
このように、役物の上部にも上部ステージを設けるようにしたので、上・下部ステージのダブルでパチンコ球が転動して遊動することとなり、視覚的な面白さが増すと共に入賞する期待感も増大されることとなる。これにより、遊技の興趣が高められる。
【０００８】
【発明の実施の形態】
以下、本発明に係る弾球遊技機の役物の実施の形態を図面に基づき説明する。なお、弾球遊技機には、例えばパチンコ遊技機、アレンジボール機または雀球遊技機が挙げられるが、本発明にあっては、その一例としてパチンコ遊技機について説明する。また、役物には、遊技盤の中央部に配置されるセンター役物のほか所謂アタッカーと称される電動役物があるが、本発明にあっては前記センター役物とりわけ表示部を備えた可変表示装置について説明する。
【０００９】
図１は本発明が適用されるパチンコ遊技機の正面図である。図において、１はパチンコ遊技機Ｐにおける木製の外枠であって、縦長方形枠状に成形されている。その前面に前枠２がその一側上下部を前記外枠１の一側上下部に設けた軸支部３，３に軸支して回動自在に装着される。前記前枠２には略円形の窓口４が開設され、該前枠２の裏面に配置固定される遊技盤５前面の遊技部５ａが前記窓口４に臨むようになっている。
【００１０】
前記前枠２の前面に、遊技盤５の遊技部５ａを覆う２枚の透明板であるガラス板６を備えた透明板保持枠７が回動可能に装着される。この透明板保持枠７は、その横幅が、正面から見て外枠１とほぼ同じ寸法を有する。また、透明板保持枠７の下方には前板８が回動自在に装着される。前板８も透明板保持枠７とほぼ同じ横幅を有している。
【００１１】
前記前板８の前面に、貯留されるパチンコ球を発射部（図示せず。）に供給するための打球供給皿９が装着されている。また、前枠２の下部前面には、前記打球供給皿９から溢れるパチンコ球を貯留する余剰球受皿１０が装着されている。１１は前記前枠２の下部前面の一側に設けられ、打ち出されるパチンコ球の打球力の強弱を調節する操作ハンドルである。
【００１２】
前記遊技盤５の前面に、遊技部５ａを囲うように内側ガイドレール１２ａと外側ガイドレール１２ｂとが渦巻き状に配設される。前記遊技部５ａには、そのほぼ中央に表示部１３ａを備えた可変表示装置１３が配置され、また、その下方に弾球であるパチンコ球の入賞により前記表示部１３ａの文字、数字、図形等の表示を変動表示させる始動入賞口１４が配置される。更に、その下方に位置して前記変動した表示が一定の時間経過後に停止して特定の表示を示し、遊技者にとって有利な特別遊技状態になったとき、一定の条件の下で開閉扉１５ａを所定回数開成させ一度に多くの入賞球が得られる入賞装置１５が配置される。また、１６，１６はその両側に配設される一般入賞口である。
【００１３】
次に、前記可変表示装置１３について詳しく説明する。図２はパチンコ遊技機における可変表示装置の取付部位の斜視図、図３は同正面図、図４は図３のＸ−Ｘ線断面図である。この可変表示装置１３は、取付基板１７を遊技盤５の前面にあてがいビス１８を螺締することにより取り付けられる。取付基板１７には、中央に開口１９が開設され、その裏側に前面の表示部１３ａが前記開口１９に臨むようにして装置本体２０が設けられる。これにより、遊技者は前記開口１９を介して表示部１３ａを前側から見ることができるようになっている。
【００１４】
前記開口１９の下部の内側縁に沿って下部ステージ２１が設けられる。下部ステージ２１は更に前側の第１ステージ２２とその奥側であって第１ステージ２２よりも少し高くした第２ステージ２３からなる。第１・第２ステージ２２，２３はいずれも開口１９の両内側間全体に亘り成形されている。
【００１５】
第１ステージ２２の上面は左右方向に波が進むように波打って成形され、中央部は窪んでいる。そして、その中央の窪み部２４の上面は後方へ向かうに従ってやや下向きに傾斜するようになっており、その他の上面は前方へ向かうに従ってやや下向きに傾斜するようになっている。前記中央の窪み部２４の下端に対応する第２ステージ２３の前面壁２３ａにパチンコ球が入る第１流入口２５が開設されている。
【００１６】
第２ステージ２３の上面も左右方向に波が進むように波打って成形されるが中央部は高く膨出している。そして、その中央の膨出部２６の頂部にパチンコ球が流入する第２流入口２７が開設されている。また、第２ステージ２３の上面は前方へ向かうに従ってやや下向きに傾斜するようになっており、その前端縁の両側と中央部にパチンコ球が落下するのを阻む球落下阻止片２８が上方へ突設されている。第２流入口２７の下方にはこの第２流入口２７と連通する排出通路２９が設けられ、その流下端は取付基板１７に開設された流出口３０と連通している。前記第１流入口２５も前記排出通路２９と連通している。第２ステージ２３の左右両側端であって開口１９の内側壁１９ａには第２ステージ２３の上面と連なる球排出口３２，３２が開設されており、各球排出口３２は後記する誘導通路３７ａ，３７ｂの流下端と連通している。
【００１７】
前記開口１９の上方であって取付基板１７の前面に前方へ突出する庇枠３３が一体に取着される。そして、その中央部に上部ステージ３４が設けられている。上部ステージ３４は、上方が開放されると共に上面の中央部が最も低く左右両側が漸次高くなる正面円弧状に成形され、また、前記中央部は後方へ緩やかに下傾している。上部ステージ３４の上面前端縁にはその前面を覆う透明な覆い板３４が立設されている。上部ステージ３４の上面中央部に対応する取付基板１７に第３流入口３６が開設されている。取付基板１７の裏側には前記開口１９の外周縁を囲うようにして左右に誘導通路３７ａ，３７ｂが配設されている。両誘導通路３７ａ，３７ｂはその上端が共に合致して連通すると共に第３流入口３６とも連通し、両誘導通路３７ａ，３７ｂの下端はそれぞれ前記球排出口３２に連通している。よって、前記第３流入口３６に流入したパチンコ球は左右いずれかの誘導通路３７ａ，３７ｂを流下し、下端の球排出口３２から下部の第２ステージ２３の上面に導かれる。
【００１８】
また、庇枠３３における上部ステージ３４の左右両外側は、上面が外側に下傾する球受面３８に成形されており、上部ステージ３４の左右いずれかの側縁から外側へ零れ落ちたパチンコ球は球受面３８に沿って流下し、再び遊技盤５面を下方へ流下することになる。上部ステージ３４の上方には遊技盤５面に該上部ステージ３４の上面を覆うようにして複数本の障害釘３９が植設され、上部ステージ３４に簡単にはパチンコ球が載らないようになっている。
【００１９】
本発明に係るパチンコ遊技機の可変表示装置は上記構成からなり、次に作用について説明する。図３、図４に示すように遊技盤５面を流下すると共に開口１９の前面から飛入して奥の第２ステージ２３上面に載ったパチンコ球Ｂ１は、その波状の上面を天転動してゆらゆらと左右に遊動し、各球落下阻止片２８，２８の間から第１ステージ２２上面に落下するか、中央部の膨出部２６を登って第２流入口２７に入る。
【００２０】
前記第１ステージ２２の上面に落下したパチンコ球Ｂ２は、遊動してそのままその前端縁から落下し遊技盤５面を流下するか、中央の窪み部２４内に入って減衰運動を繰り返しながら後方へ転動し第１流入口２５に入る。前記第２流入口２７に入ったパチンコ球Ｂ１は排出通路２９、また第１流入口２５に入ったパチンコ球Ｂ２は流出口３０から下方へ落下する。これにより、その下方に配置される始動入賞口１４に入賞する機会が多くなる。
【００２１】
一方、遊技盤５面を流下すると共に障害釘３９間から上部ステージ３４の上面に載ったパチンコ球Ｂ３は、その孤状の上面を転動して左右に遊動し、その内勢いの強いパチンコ球Ｂ３は、上部ステージ３４の左右いずれかの端から球受面３８上に落下してそのまま該球受面３８に沿って流下し、遊技盤５面に戻る。逆に、勢いの弱いパチンコ球Ｂ４は上部ステージ３４の上面をゆらゆらと転動して左右に減衰しながら往復運動し、最終的に後方の第３流入口３６に入る。その間、上部ステージ３４の上面をゆらゆらと左右に遊動する様子は、透明な覆い板３５を透して前面から視認でき、視覚的な面白味が沸くと共に入賞する期待感が増大する。
【００２２】
第３流入口３６に入ったパチンコ球Ｂ４は、いずれかの誘導通路３７ａ，３７ｂを流下し球排出口３２を介して下部ステージ２１の第２ステージ２３上面に導かれる。このパチンコ球Ｂ４は、前記したように第２ステージ２３上面を転動してゆらゆらと左右に遊動し、球落下阻止片２８間から第１ステージ２２上面に落下するか膨出部２６に乗り上げ第２流入口２７に入る。前記第１ステージ２２上面に落下したパチンコ球Ｂ４は同様にその上面を転動してその前端縁から落下するか中央の窪み部２４に転動して第１流入口２５に入る。前記第１・第２流入口２５，２７に入ったパチンコ球Ｂ４は排出通路２９を介して流出口３０から落下する。
【００２３】
このように本発明は、下部ステージ２１だけではなく上部ステージ３４をも設けるようにしたので、上下部の二個所でパチンコ球のゆらゆらとした遊動動作が見られ、視覚的な面白味が増すと共に入賞する期待感も増大する。また、上部ステージ３４は、遊技者がパチンコ球を遊技部５ａに打ち込む時の一つの的になり、ねらい目が決め易い。
【００２４】
【発明の効果】
以上説明したように本発明は、パチンコ球が転動して遊動する上部ステージと下部ステージをそれぞれ上部と下部に設け、前記上部ステージと下部ステージとの間に上部ステージに載るパチンコ球を下部ステージに誘導し得る誘導通路を設けたので、上下部の二個所でパチンコ球のゆらゆらとした遊動動作が見られ、視覚的な面白味が増すと共に入賞する期待感も増大する。これにより、遊技の興趣が格段に高まるという有益な効果が有る。
【図面の簡単な説明】
【図１】本発明が適用されるパチンコ機の正面図。
【図２】同可変表示装置の取付部位の斜視図。
【図３】可変表示装置の正面図。
【図４】図３のＸ−Ｘ線断面図。
【符号の説明】
１３                役物（可変表示装置）
２１                下部ステージ
３４                上部ステージ
３７ａ，３７ｂ      誘導通路
Ｂ１〜Ｂ４          パチンコ球
【図１】
2005000439.tif 000003
【図２】
2005000439.tif 000004
【図３】
2005000439.tif 000005
【図４】
2005000439.tif 000006